(57)【特許請求の範囲】
【請求項１】
隣接する支柱間に、ベルトにより形成されたネットが張設されている柵において、周囲枠を形成する上下部横枠ベルトと側部縦枠ベルトの端部を互いに重合すると共に、支柱の上下部ブラケットにベルト同士も回動可能に軸着され、縦方向のベルトの上下端部は上下部横枠ベルトに、横方向のベルトの左右端部は側部縦枠ベルトにそれぞれ回動可能に軸着し、縦方向のベルトと横方向のベルトが交差する交差部で縦横のベルトは任意角度に交差自在となっていることを特徴とする柵用ネット。
【請求項２】
交差部で縦又は横の何れか一方のベルトに開口部が設けられ、この開口部に他方のベルトが挿通されていることを特徴とする請求項１記載の柵用ネット。
【請求項３】
交差部で縦横のベルトが回動可能に止着されていることを特徴とする請求項１記載の柵用ネット。
【請求項４】
ベルトは合成繊維、天然繊維、又は合成繊維と天然繊維の組み合わせで形成されていることを特徴とする請求項１、２又は３記載の柵用ネット。
【請求項５】
ベルトの一部又は全部に発光糸又は蛍光糸を使用して成ることを特徴とする請求項４記載の柵用ネット。
【請求項６】
縦又は横の何れか一方のベルト又は両方のベルトが合成樹脂で被覆されていることを特徴とする請求項１、２、３，４又は５記載の柵用ネット。
【発明の詳細な説明】
【０００１】
【発明の属する技術分野】
本発明は、防風、防雪、防砂等を目的とし、道路沿いに設置したり、或いは牧場、山林、原野、ゴルフ場、その他傾斜起伏の多い場所に設置する柵に使用するネットに係り、詳しくはネットがベルトにより形成されている柵用ネットに関するものである。
【０００２】
【従来の技術】
従来、柵用ネットで合成樹脂製のベルトを格子状又は簀の子状に形成したものは存在する。
このネットは多数のベルトを一定の間隔で平行に並べると共に、これ等のベルトに直角に一定間隔で平行にベルトを数本配設し、交差部を溶着固定している。
【０００３】
【発明が解決しようとする課題】
柵の設置時に、水平地から登坂、降坂する傾斜地に延設する場合は、傾斜地の角度に沿って横方向のベルトを斜めに一定の間隔で平行に並べ、この横方向の傾斜したベルトに対して、縦方向のベルトは傾斜地に立設した支柱に対して一定の間隔で平行に並ぶので縦横のベルトは直角に交差されることがなく、傾斜地の傾斜角度によって交差部における縦横のベルトの交差する角度は異なるのである。
【０００４】
しかし、従来のネットは縦横のベルトの交差部が溶着固定されているので、傾斜地では使用ができず、傾斜地では傾斜角度に対応して、その都度縦横のベルトの交差する角度の異なる別のネットを準備しなければならなかったのである。
【０００５】
上記点より本発明は、隣接する支柱間に張設されるネットを形成する縦横のベルトの交差部で交差する角度を任意かつ容易に変更ができ、水平地及び傾斜地等の両方に使用が可能な柵用ネットを提供しようとするものである。
【０００６】
【課題を解決するための手段】
上記課題を解決するため請求項１の本発明柵用ネットは、隣接する支柱間に、ベルトにより形成されたネットが張設されている柵において、周囲枠を形成する上下部横枠ベルトと側部縦枠ベルトの端部を互いに重合すると共に、支柱の上下部ブラケットにベルト同士も回動可能に軸着され、縦方向のベルトの上下端部は上下部横枠ベルトに、横方向のベルトの左右端部は側部縦枠ベルトにそれぞれ回動可能に軸着し、縦方向のベルトと横方向のベルトが交差する交差部で縦横のベルトは任意角度に交差自在となっていることを特徴とするものである。
【０００７】
このような構成とすることにより、ネットを形成する縦横のベルトが交差部で任意角度に交差できるため、水平地の支柱間に張設する場合は、縦横のベルトを直角に交差させ、又傾斜地の支柱間に張設する場合は、縦横のベルトを傾斜地の傾斜角度に対応した交差角度に交差させることができ、したがって水平地や傾斜地の如何を問わず両方に使用可能である。
【０００８】
次に、請求項２の本発明柵用ネットは、請求項１の柵用ネットにおいて、交差部で縦又は横の何れか一方のベルトに開口部が設けられ、この開口部に他方のベルトが挿通されていることを特徴とするものである。
このような構成とすることにより、一方のベルトの開口部に他方のベルトが挿通されているだけで固定されていないので、縦横のベルトは交差部で任意角度に交差可能となる。
【０００９】
次に、請求項３の本発明柵用ネットは、請求項１の柵用ネットにおいて、交差部で縦横のベルトが回動可能に止着されていることを特徴とするものである。
このような構成とすることにより、縦横のベルトは交差部で任意角度に交差可能となる。
【００１０】
次に、請求項４の本発明柵用ネットは、請求項１、２又は３の柵用ネットにおいて、ベルトは合成繊維、天然繊維、又は合成繊維と天然繊維の組み合わせで形成されていることを特徴とするものである。このような構成とすることにより、ベルトは素材が合成樹脂のものに比べ、引っ張り強度を有する。
【００１１】
次に、請求項５の本発明柵用ネットは、請求項４の柵用ネットにおいて、ベルトの一部又は全部に発光糸又は蛍光糸を使用して成ることを特徴とするものである。このような構成とすることにより、夜間においてもネットの存在が容易に確認できる。
【００１２】
次に、請求項６の本発明柵用ネットは、請求項１、２、３、４又は５の柵用ネットにおいて、縦又は横の何れか一方のベルト又は両方のベルトが合成樹脂で被覆されていることを特徴とするものである。このような構成とすることにより、ベルトは耐久性及び形態保持性が向上する。
【００１３】
【発明の実施の形態】
以下、本発明の一実施の形態を図面に基づき説明する。
図１は本発明柵用ネットの使用状態を示す正面図、図２は同上の縦断側面図である。
而して、図中１は一定の間隔で立設した支柱であり、支柱１は複数本設置され、隣接する支柱１間にネット本体２が張設されている。
【００１４】
支柱１はパイプ支柱を使用し、支柱１の上部及び下部に、支柱１の両側に突出するネット取り付け用の上部ブラケット３及び下部ブラケット４が固定されている。
支柱１はパイプ支柱に限定されるものではなく、棒状体、Ｈ型鋼等、その他任意のものが使用できる。
【００１５】
次に、ネット本体２は複数の縦方向のベルト５Ａを一定の間隔で平行に配列し、ベルト５Ａの上端部はベルトと同一素材のベルト状の上部横枠ベルト６に、下端部は同じくベルトと同一素材のベルト状の下部横枠ベルト７に夫々ピン等により回動可能に軸着８されている
又、ベルト５Ａの上部付近及び下部付近にベルト５Ａと同一素材で同一巾の短片９が、その上端と下端を固定されて二重構造に形成され、ベルト５Ａの巾方向に開口する開口部１０が形成されている。
【００１６】
そして、このベルト５Ａの上部付近及び下部付近の開口部１０に横方向のベルト５Ｂが挿通され、両ベルト８Ａ、５Ｂは交差している。
この横方向のベルト５Ｂの両端部は両側の側部縦枠ベルト１１にピン等により回動可能に軸着１２されている。
側部縦枠ベルト１１はベルトと同一素材でベルト状に形成されている。ベルト５Ａ、５Ｂの間隔やベルト巾は柵の使用目的によって考慮される。
【００１７】
このような構成のネット本体２を隣接する支柱１間に張設する場合は、先ずネット本体２の上部の取り付けは、隣接する支柱１間の対向する上部ブラケット３に、ネット本体２の上部横枠ベルト６の端部と側部縦枠ベルト１１の上端部を重ね合わせてピン等により回動可能に軸着１３し、次にネット本体２の下部の取り付けは、対向する下部ブラケット４に、ネット本体２の下部横枠ベルト７の端部と側部縦枠ベルト１１の下端部を重ね合わせてピン等により回動可能に軸着１４して、ネット本体２の四隅を上部ブラケット３と下部ブラケット４に回動可能に取り付け張設する。
【００１８】
このようにして隣接する支柱１間に張設されたネット本体２は、隣接する両支柱１が水平地に立設されている場合は、縦方向のベルト５Ａと横方向のベルト５Ｂは直角に交差する。
【００１９】
そして、両支柱が傾斜地に立設されている場合、及び一方の支柱１が水平地で他方の支柱１が傾斜地等、水平地の支柱１と段差のある場所に立設されている場合は、ネット本体２の四隅が上部ブラケット３と下部ブラケット４に夫々回動可能に軸着１３、１４されていること、及び縦方向のベルト５Ａの上端部は上部横枠ベルト６に、又下端部は下部横枠ベルト７に夫々回動可能に軸着８されていること、更に横方向のベルト５Ｂの両端部が両側の側部縦枠ベルト１１と夫々回動可能に軸着１２されていることにより、支柱１に対して縦方向のベルト５Ａ及び両側の側部縦枠ベルト１１は平行を保持して配列され、横方向のベルト５Ｂ及び上部横枠ベルト６、下部横枠ベルト７は傾斜地の傾斜角度に対応した傾斜状態で各々平行を保持して配列される。
【００２０】
この時、縦方向のベルト５Ａに設けた開口部１０に挿通された横方向のベルト５Ｂは傾斜するが、開口部１０の長さは最大で略４５°の傾斜角度に対応できる長さとすれば十分である。
【００２１】
尚、図３は開口部１０を縦方向のベルト５Ａに変え、横方向のベルト５Ｂに同じく短片９を固定して二重構造に形成したものである。
又、図４は両ベルトの交差部で、縦方向のベルト５Ａと横方向のベルト５Ｂが交互に開口部１０が配置されるよう、縦方向のベルト５Ａと横方向のベルト５Ｂの両方のベルトに所定の間隔で短片９を固定して開口部１０を形成したものである。
【００２２】
又、図５は開口部１０を袋状に織成して成るもので、特にベルトが織物から成る場合に好適である。
又、図６は請求項３の本発明の一実施の形態を示すもので、両ベルト５Ａ、５Ｂの交差部で縦方向のベルト５Ａと横方向のベルト５Ｂがピン等で回動可能に軸着１５されて、任意角度で交差自在となっている。
【００２３】
次に、ベルト５Ａ、５Ｂの素材としては、合成樹脂、ゴム等でも可能であるが、本発明の実施の形態として、引っ張り強度の大きい合成繊維、天然繊維、又は合成繊維と天然繊維の組み合わせで形成されている。
合成繊維として、ナイロン、ビニロン、ポリエステル等が使用され、天然繊維として綿等が使用される。このような素材を使用した繊維糸によりベルトが織成される。
【００２４】
又、ベルト５Ａ、５Ｂは発光糸１６を使用して形成してもよく、又発光糸１６に変え、蛍光糸を使用して形成してもよい。又これ等の発光糸１６又は蛍光糸をベルトの一部に使用することもできる。
発光糸１６又は蛍光糸は、合成繊維、天然繊維、又は合成繊維と天然繊維を組み合わせた繊維糸に蓄光性の発光体又は蓄光性の蛍光体を混入させて形成されている。勿論、他の発光剤（夜光塗料）でもよい。
【００２５】
次に、図７は横方向のベルト５Ｂを合成樹脂１７で被覆した断面図を示すものである。
この樹脂加工は、縦方向のベルト５Ａや両方のベルト５Ａ、５Ｂにも施されてもよいことは勿論である。
尚、合成樹脂として、メラミン系樹脂、ポリウレタン系樹脂、ポリエステル系樹脂等が使用される。
【００２６】
尚、本発明ではネット本体２は支柱１間に固定して張設されているが、かかる構成に限定されるものではなく、ネット本体２が巻取り式に支柱１等に収納される柵等、あらゆる構成の柵にも使用される。
【００２７】
【発明の効果】
本発明によれば、ネット本体を形成する縦横のベルトは、交差部で交差する角度を任意かつ容易に変更することができるので、水平地及び傾斜地等の両方に使用が可能であるため、道路沿い等の防風、防雪、防砂等の柵のみならず、牧場、山林、原野、ゴルフ場、その他傾斜起伏の多い場所に設置する柵にも好適である。
又、ベルトに発光糸又は蛍光糸を使用すれば、夜間においてもネットの存在が確認でき安全である。
又、ベルトを合成樹脂で被覆することにより、耐久性が向上し、経済的効果も有する。
【図面の簡単な説明】
【図１】本発明柵用ネットの使用状態を示す正面図である。
【図２】本発明柵用ネットの使用状態を示す縦断側面図である。
【図３】本発明柵用ネットの一実施の形態を示す部分正面図である。
【図４】本発明柵用ネットの一実施の形態を示す部分正面図である。
【図５】本発明柵用ネットの一実施の形態を示す部分側面図である。
【図６】本発明柵用ネットの一実施の形態を示す部分正面図である。
【図７】本発明柵用ネットの一実施の形態を示す部分断面図である。
【符号の説明】
１                      支柱
２                      ネット本体
３                      上部ブラケット
４                      下部ブラケット
５Ａ                    縦方向のベルト
５Ｂ                    横方向のベルト
６                      上部横枠ベルト
７                      下部横枠ベルト
８                      軸着
９                      短片
１０                    開口部
１１                    側部縦枠ベルト
１２、１３、１４、１５  軸着
１６                    発光糸
１７                    合成樹脂
【図１】
0003825365.tif 000002
【図２】
0003825365.tif 000003
【図３】
0003825365.tif 000004
【図４】
0003825365.tif 000005
【図５】
0003825365.tif 000006
【図６】
0003825365.tif 000007
【図７】
0003825365.tif 000008